(57)【特許請求の範囲】
【請求項１】
棒状のシャッター部材をリンクを介して互いに連続した構成のシャッターカーテンの持ち上げによる上昇を防止するようにしたグリルシャッターの持ち上げ防止装置において、
前記シャッターカーテンは駆動源によって駆動され、該駆動源の出力軸に連結されてカウント動作するカウンタを備え、該カウンタの駆動源側の回転数の読み取りによって、前記シャッターカーテンの下限位置が検出されると通電状態となる閉鎖検知手段と、
前記シャッターカーテンの全閉時における前記シャッターカーテンの一部に当接し、これを検知すると通電状態が解除される当接検知手段と、
通電されると、前記シャッターカーテンの所定位置における上下シャッター部材の間に突出する突出手段と、
を具備し、
前記閉鎖検知手段と、前記当接検知手段と、前記突出手段とは、電気的回路として電源に対して直列に接続されていて、
前記閉鎖検知手段と前記当接検知手段とのいずれか一方が通電された状態になっただけでは前記突出手段には通電されず、前記閉鎖検知手段が前記シャッターカーテンの閉鎖を検知して通電状態になっており、かつ、前記当接検知手段が前記シャッターカーテンから離脱して前記当接検知手段が通電状態になった場合にのみ前記突出手段に通電され、該突出手段が前記上下シャッター部材の間に突出することを特徴とするグリルシャッターの持ち上げ防止装置。
【発明の詳細な説明】
【０００１】
【発明の属する技術分野】
本発明は、閉鎖時におけるグリルシャッターの持ち上げによる上昇を防止する持ち上げ防止装置に関するものである。
【０００２】
【従来の技術】
グリルシャッターは、中空のパイプ等の棒状のシャッター部材をリンクを介して互いに連結し、グリル状のシャッターカーテンを構成したもので、前記シャッター部材の端部を垂直な一対のガイドレールに沿わせて昇降させることでこのシャッターカーテンを開閉するようになっている。
【０００３】
そして、このシャッターカーテンの閉鎖時における施錠は、シャッターカーテンを開閉（昇降）させる電動モータに内蔵されているブレーキ機構で行われるようになっており、シャッターカーテンを巻き取る巻取軸の回転を抑止し、シャッターカーテンが容易に上昇しないようにされている。
【０００４】
ところが、このようなグリルシャッターは、建物開口を閉鎖している状態において、各シャッター部材がリンク板を介して互いに連続した構造であるため、シャッターカーテンに手を掛けて持ち上げると、各シャッター部材の端部を案内するガイドレール内、及びこれに連結されるシャッターケース内での遊びによってリンクが屈折し、シャッターカーテンが上昇してしまうという欠点があった。
【０００５】
また、シャッターケース内では巻取軸とガイドレール上端との間に、シャッターカーテンの巻取しろを確保するため相当の間隔が開いており、従って、シャッターカーテンを降ろした状態（閉鎖状態）では最大の自由な距離があり、この閉鎖状態のシャッターカーテンを強く持ち上げると、前述のようにブレーキ機構が働いていても、容易に１ｍ以上持ち上げられることがあり、シャッターケース内での故障の原因となるばかりでなく、防犯上、問題が生じていた。
【０００６】
そこで、上記のようなシャッターカーテンの持ち上げを防止するために、グリルシャッターには持ち上げ防止装置が設けられている。
【０００７】
この持ち上げ防止装置は、シャッターカーテンが全閉状態の時に作動する電磁ソレノイドを備え、この電磁ソレノイドが作動することでガイドレール内等のシャッターカーテンの移動軌道内にレバーを突出させ、突出したレバーによりグリルシャッターの持ち上げによる上昇を防止するものである。
【０００８】
一般にこのようなグリルシャッター等の電動シャッターには、シャッターカーテンを巻き取る巻取軸を回転駆動させる電動モータの出力軸に、機械的カウンタから構成される下限リミットスイッチが備えられている。そして、このカウンタで駆動源側の回転数を読み取ることにより、シャッターカーテンの上限位置及び下限位置を検出し、電動モータの回転の制御、即ち停止を行っている。
【０００９】
従って、シャッターカーテンの下限位置を検出、即ち全閉状態となって下限リミットスイッチが作動すると、電動モータが停止するとともに、上述した電磁ソレノイドが作動し、レバーが突出してシャッターカーテンに係合状態となって持ち上げが防止されることとなる。
【００１０】
なお、シャッターカーテンを開放する場合は、下限リミットスイッチに連動されているプッシュボタンスイッチ（以下「ＰＢＳ」）の上昇ボタンを押すことによって下限リミットスイッチがＯＦＦとなり、電磁ソレノイドの通電状態が解除されて突出したレバーが元の状態に戻り、電動モータが作動することでシャッターカーテンは上昇することとなる。
【００１１】
【発明が解決しようとする課題】
しかしながら、上述した従来の持ち上げ防止装置では、シャッターカーテンが全閉状態のときに電磁ソレノイドが作動する構造であるため、長時間シャッターカーテンを閉鎖していると、電磁ソレノイドに対して常に通電状態となり、電力消費によるコストがかかるため不経済であるという問題があった。また、電磁ソレノイドが加熱され、最悪の場合火災が発生する可能性もあり得る。
【００１２】
また、駆動源である電動モータが故障等の不具合が生じた場合に、チェーンによる手動操作でシャッター巻取軸を回動させてシャッターカーテンを開放することがあるが、このような非常時には、例えば実開平５−９６３９４号公報に開示されている電動シャッターのブレーキ解除装置のように駆動機構部としての電動モータと巻取ドラムとの連結を解除させると共に、ＰＢＳの上昇ボタンを押して下限リミットスイッチをＯＦＦにして電磁ソレノイドの通電状態を解除して、突出したレバーを後退させなければならず、即ち、手動によるシャッターカーテンの開放が非常に繁雑である欠点があった。
【００１３】
そこで本発明は、上記問題点を解消するために、シャッターカーテンが閉鎖した状態において、このシャッターカーテンが持ち上げられた場合にのみシャッターカーテンの上昇を防止するとともに、省電力で簡素な構造のグリルシャッターの持ち上げ防止装置を提供することを目的としている。
【００１６】
【課題を解決するための手段】
次に、上記の課題を解決するための手段を、実施の形態に対応する図面を参照して説明する。
本発明によるグリルシャッターの持ち上げ防止装置は、棒状のシャッター部材１４をリンク１７を介して互いに連続した構成のシャッターカーテン３の持ち上げによる上昇を防止するようにしたグリルシャッター１の持ち上げ防止装置において、
カウンタの駆動源側の回転数の読み取りによって、前記シャッターカーテン３の下限位置が検出されると通電状態となる閉鎖検知手段ＬＳと、
前記シャッターカーテン３の全閉時における前記シャッターカーテン３の一部に当接し、これを検知すると通電状態が解除される当接検知手段８と、
通電されると、前記シャッターカーテン３の所定位置における上下シャッター部材１４の間に突出する突出手段１９と、を具備している。
【００１７】
前記閉鎖検知手段ＬＳと、前記当接検知手段８と、前記突出手段１９とは、電気的回路として電源に対して直列に接続されていて、
前記閉鎖検知手段ＬＳと前記当接検知手段８とのいずれか一方が通電された状態になっただけでは前記突出手段１９には通電されず、前記閉鎖検知手段ＬＳが前記シャッターカーテン３の閉鎖を検知して通電状態になっており、かつ、前記当接検知手段８が前記シャッターカーテン３から離脱して前記当接検知手段８が通電状態になった場合にのみ前記突出手段１９に通電され、該突出手段１９が前記上下シャッター部材１４の間に突出することを特徴としている。
【００１８】
このような構成により、このグリルシャッターの持ち上げ防止装置は、前記閉鎖検知手段ＬＳが前記シャッターカーテン３の閉鎖を検知し通電状態となり、かつ、前記当接検知手段８が前記シャッターカーテン３との当接を検知して未通電の状態から、前記シャッターカーテン３が前記当接検知手段８から離脱し、該当接検知手段８の検知が解除されて再通電状態となったときにのみ、突出手段１９が通電状態となり突出する。
【００１９】
【発明の実施の形態】
図１は本発明によるグリルシャッターの持ち上げ防止装置が設けられるグリルシャッターの正面図、図２は同グリルシャッターの概略側断面図、図３及び図４は本発明によるグリルシャッターの持ち上げ防止装置の実施の形態を示す斜視図である。
【００２０】
本発明によるグリルシャッターの持ち上げ防止装置は、本実施の形態ではグリルシャッター１のシャッターケース２内に設けられている。
【００２１】
このグリルシャッター１は、図１に示すように、住宅や店舗等の建物における建物開口に配設されており、グリルシャッター１を構成しシャッターカーテン３を収納するシャッターケース２は、前記建物開口の上縁に設けられている。
【００２２】
このシャッターケース２の下縁に連結される建物開口の左右両側縁に立設される一対のガイドレール４間には、図２に示すように、シャッターカーテン３が出入りするスリット状の開口部５が設けられ、この開口部５には一対のまぐさ６ａ，６ｂが前記開口部５の長手方向に沿って設けられている。
【００２３】
そして、これらまぐさ６の一方のまぐさ６ａの上部には、図２に示すように、湾曲形状の戸当たり７が配設され、前記シャッターカーテン３の出入り（昇降）を案内するようになっている。
【００２４】
また、他方のまぐさ６ｂの上部には、前記戸当たり７に対向して本発明の持ち上げ防止装置が配設されている。
【００２５】
このグリルシャッターの持ち上げ防止装置は、当接検知手段８と、閉鎖検知手段としての下限リミットスイッチＬＳと、突出手段としての突出部１９とで略構成されている。
【００２６】
当接検知手段８は、本実施の形態では、マイクロスイッチ９と被当接部材１３で構成されている。
【００２７】
マイクロスイッチ９は、図３に示すように、前述した他方のまぐさ６ｂの上部に設けられている略水平な基板１０の上に配設されている。
【００２８】
このマイクロスイッチ９は、マイクロスイッチ本体１１に対して水平方向に進退する作動子１２を有しており、図２に示すように、この作動子１２が前述した戸当たり７に向き、シャッターカーテン３の移動軌道Ａを向くようになっている。
【００２９】
そして、このマイクロスイッチ９は、作動子１２の先端部１２ａが後述する被当接部材１３と当接するようになっている。
【００３０】
なお、この作動子１２の先端部１２ａは、略半球面状に形成されている。
【００３１】
なお、本実施の形態では、マイクロスイッチ９は、作動子１２が本体１１に対して突出した状態でＯＮ（通電状態）となり、作動子１２が押され後退するとＯＦＦ（未通電状態）となるように設定されている。
【００３２】
次に、被当接部材１３は、図４に示すように、上下にとなりあう一対のシャッター部材１４間に設けられている。
【００３３】
この被当接部材１３はプレート１５とバネ材１６から構成されている。プレート１５は、図４に示すように前記一対のシャッター部材１４に架け渡され、かつ、その両端はそれぞれシャッター部材１４に巻回されるように取り付けられている。なお、上記プレート１５に巻回されているシャッター部材１４には、プレート１５がシャッター部材１４に対して左右にスライドすることを規制する規制部材が設けられている（図示せず）。
【００３４】
なお、このプレート１５は、シャッター部材１４に対して、その両端が回動可能になっており、シャッター部材１４同士を連結するリンク１７と同様の構成となっている。
【００３５】
また、バネ材１６は、このプレート１５の一方の板面に設けられている。
【００３６】
このバネ材１６は、その形状が略短冊板状で、その両端をへ字状に折り曲げて形成されている。折れ曲がった両端の一端である先端部１６ａはプレート１５の板面上部に位置し、他端である基端部１６ｂはプレート１５の板面下部に固定されている。そして、このバネ材１６の平坦な中途部１６ｃはプレート１５の表面から離間して突出し、プレート１５に対して平行であり、また、バネ材１６の先端部１６ａもプレート１５の表面からやや離間するようになっている。
【００３７】
そして、このバネ材１６は、図４に示すように、シャッター部材１４に対して、他方のまぐさ６ｂ側となるシャッター収納スペース側を向いており、バネ材１６の平坦な中途部１６ｃは、突出したマイクロスイッチ９の作動子１２に干渉するようになっており、シャッターカーテン３が全閉状態となったときに、被当接部材１３がマイクロスイッチ９と対向し、図６及び図７に示すようにバネ材１６が作動子１２と当接する。このとき、バネ材１６は弾性力によりバネ材１６が変形することなく、作動子１２を後退させる。
【００３８】
次に、下限リミットスイッチは、図示しないが、例えば、シャッターカーテン３を巻き取る巻取軸を回転駆動させる電動モータの出力軸に連結されてカウント動作をする機械的カウンタと、そのカウンタのカウント値が予め設定された値と一致した時に信号を出力するスイッチとで構成されている。即ち、このカウンタの駆動源側の回転数の読み取りによって、シャッターカーテン３の下限位置が検出されると、ＯＮ（通電状態）となる。
【００３９】
次に、突出部１９は、図３に示すように、マイクロスイッチ９に隣接されて基板１０上に設けられている。この突出部１９は、電磁ソレノイド２０とレバー部材２２で構成されている。
【００４０】
電磁ソレノイド２０には、その本体の水平な中心軸上に、その中心軸に沿って水平方向に進退動作を行う可動軸２１が設けられている。この可動軸２１の先端２１ａは、前記マイクロスイッチ９の作動子１２と同様に、シャッターカーテン３の移動軌道Ａに向くようになっている。
【００４１】
なお、この電磁ソレノイド２０の可動軸２１は、通電されると本体内に後退し、通電を解除されると内部に配設される付勢部材（図示せず）により突出するようになっている。
【００４２】
また、レバー部材２２は、図３に示すように、基板１０上に立設された一対のブラケット２３間に架設された支軸２４に貫通されて揺動自在となるように設けられている。
【００４３】
このレバー部材２２は、中途にて折曲できるように、軸１８を介して基部２５と先端部２６で構成され、基部２５の基端２５ａが前記電磁ソレノイド２０の可動軸２１の先端２１ａと軸１８を介して連結されている。また、先端部２６の先端２６ａはくさび状に形成されている。
【００４４】
そして、これら基部２５と先端部２６とは、基部２５に形成される規制部２５ｂにより真直な状態を保つとともに、軸１８によって先端部２６が基部２５に対して回動可能となっている。
なお、基部２５と先端部２６とを連結する軸１８には、ねじりコイルバネ等が設けられ、基部２５に対する先端部２６が常に真直を保つようになっている。
【００４５】
また、基部２５に形成される支軸２４が貫通する孔２５ｃは、スリット状の長孔に形成され、この長孔２５ｃ内を支軸２４が摺動、別言すると、支軸２４に対してこの支軸２４にガイドされてレバー部材２２が摺動、かつ揺動できるようになっている。
【００４６】
そして、電磁ソレノイド２０に通電されて、吸引力により前記可動軸２１が電磁ソレノイド２０内に後退すると、レバー部材２２が支軸２４を中心として長孔２５ｃを介して案内されて揺動し、レバー部材２２が略水平状態となり、シャッターカーテン３の移動軌道Ａ内に突出する。
【００４７】
また、電磁ソレノイド２０の通電状態を解除すると、電磁ソレノイド２０内に後退していた可動軸２１が前述した付勢部材により突出し、レバー部材２２が支軸２４を中心として長孔２５ｃを介して案内されて揺動してシャッターカーテン３の移動軌道Ａから後退し、元の状態に戻る。
【００４８】
次に、上記構成の装置の動作を図５乃至図８に示す側面図及びそれに対応する概略回路図で説明する。なお、この回路は、図に示す概略回路図のように、マイクロスイッチ９，下限リミットスイッチＬＳ及び電磁ソレノイド２０が直列に接続され、その両端が電源、例えば、直流電源に接続されている。
【００４９】
まず、シャッターカーテン３がシャッターケース２内に収納された状態、並びにシャッターカーテン３がガイドレール４に沿って下降動作中及び上昇動作中の状態では、図５（ｂ）に示すように、作動子１２の先端部１２ａがバネ材１６に当接していないため、マイクロスイッチ９は検知せず、図５（ａ）に示すように、マイクロスイッチ９はＯＮの状態となっている。しかし、シャッターカーテン３は全閉状態となっていないため下限リミットスイッチＬＳはＯＦＦの状態となっている。従って、電磁ソレノイド２０に通電されず、図５（ｃ）に示すように、レバー部材２２は突出しない。
【００５０】
次に、シャッターカーテン３が更に下降し閉鎖直前となると、図６（ｂ）に示すように、作動子１２の先端部１２ａがバネ材１６に当接する。これにより作動子１２が後退し、マイクロスイッチ９が検知し、図６（ａ）に示すように、マイクロスイッチ９はＯＦＦの状態となっている。また、上述した下降動作中と同様であるから、図６（ｃ）に示すように、シャッターカーテン３は全閉状態となっていないため下限リミットスイッチＬＳはＯＦＦの状態になっている。従って、電磁ソレノイド２０に通電されず、図６（ｃ）に示すように、レバー部材２２は突出しない。
【００５１】
また、シャッターカーテン３が下降し閉鎖した場合、即ち全閉状態となると、図７（ａ）に示すように、下限リミットスイッチＬＳがそれを検知し、下限リミットスイッチＬＳはＯＮの状態になる。しかし、作動子１２の先端部１２ａが、図７（ｂ）に示すように、バネ材１６に当接しているため作動子１２は後退しマイクロスイッチ９に検知された状態であり、図７（ａ）に示すように、マイクロスイッチ９はＯＦＦのままである。従って、図７（ｃ）に示すように、レバー部材２２は突出しない。
【００５２】
さて、ここで、シャッターカーテン３が全閉状態であるときに、シャッターカーテン３を手に掛けて持ち上げると、図８（ｂ）に示すように、被当接部材１３が設けられているシャッター部材１４がマイクロスイッチ９に対して上昇し、作動子１２の先端部１２ａがバネ材１６から離れる。すると、作動子１２がマイクロスイッチ本体１１から突出してマイクロスイッチ９の検知が解除され、即ちマイクロスイッチ９が、図８（ａ）に示すように、ＯＮの状態になる。そして、このとき下限リミットスイッチＬＳはシャッターカーテン３の全閉状態を検知したままであり、下限リミットスイッチＬＳがＯＮの状態となっていることから、電磁ソレノイドに通電され、図８（ｃ）に示すように、レバー部材２２は突出し、シャッターカーテン３の移動軌道Ａ上、即ち、シャッター部材１４間に突出する。そして、持ち上げられるシャッターカーテン３は、その上昇を妨げられ、即ち持ち上げが防止される。
【００５３】
なお、レバー部材２２が突出したときに、レバー部材２２がシャッター部材１４に当たった場合、その先端部２６が軸１８を中心に揺動して折曲状態となるが、この状態から更にシャッターカーテン３を上昇させると、シャッター部材１４がレバー部材２２から離れてその先端部２６が基部２５に対し真直になり、シャッター部材１４間に突出して持ち上げが防止される。
【００５４】
そして、この手によって持ち上げられた状態から再びシャッターカーテン３を降ろすと、バネ材１６が作動子１２の先端１２ａと当接する（図７（ｂ）参照）。これにより作動子１２が後退し、マイクロスイッチ９に再び検知されて、マイクロスイッチ９が図７（ａ）に示すようにＯＦＦになり、電磁ソレノイド２０の通電状態が解除され、移動軌道Ａ上に突出したレバー部材２２が図７（ｃ）に示すように後退して元の状態に戻る。
【００５５】
このように上述した実施の形態では、マイクロスイッチ９と下限リミットスイッチＬＳのいずれか一方がＯＮの状態になっただけ（図５（ａ），図７（ａ）参照）ではレバー部材２２は突出せず、マイクロスイッチ９と下限リミットスイッチ１８がともにＯＮの状態になった場合（図８（ａ）参照）にのみ電磁ソレノイド２０に通電されてレバー部材２２が突出する。これにより、シャッターカーテン３の持ち上げを防止することが可能となる。
【００５６】
また、シャッターカーテン３の全閉状態（図７参照）では、マイクロスイッチ３がＯＦＦの状態になっているため、電磁ソレノイド２０に通電されておらず、長時間シャッターカーテン３を閉鎖していても電力消費によるコストがかからず経済的である。このことから、長時間の通電による電磁ソレノイド２０の加熱による火災が発生することはない。
【００５７】
なお、上述した実施の形態では、マイクロスイッチ９が他方のまぐさ６ｂ上に設けられた場合について述べたが、この位置に限定することはなく、例えば、ガイドレール４内に配設してもよい。この場合、被当接部材１３はガイドレール４に対向してリンク１７に配設されている。そして、上述した実施の形態と同様シャッターカーテン３が全閉状態となったときに、被当接部材１３がマイクロスイッチ９と対向する。
【００５８】
また、上述した実施の形態では、突出部１９が他方のまぐさ６ｂ上に設けられた場合について述べたが、この位置に限定することはなく、例えば、ガイドレール４内に配設してもよく、また、この突出部１９を複数設ける構成としてもよい。また、片側のガイドレール４だけではなく、両側の各ガイドレール４に設けてもよい。この場合でも、上述した作用効果と同様の作用効果が得られる。
【００５９】
更に、上記のように、突出部１９の位置をガイドレール４内に配設する構造とする場合に、このガイドレール４の下方に設けることにより、まぐさ６からシャッターカーテン３の最下端の間でリンク１７の屈折によるシャッターカーテン３の持ち上げを防止することができ、上昇長さを短くできることから、防犯上有効である。
【００６０】
また、被当接部材は、プレート１５とバネ材１６で構成されていなくてもよく、例えば、シャッター部材１４自体でも、また、リンク１７であってもよい。
【００６１】
【発明の効果】
以上説明したように本発明によるグリルシャッターの持ち上げ防止装置では、閉鎖状態のシャッターカーテンを持ち上げた場合にのみ当接検知手段と閉鎖検知手段とによって突出手段が作動して突出し、グリルシャッターの持ち上げによる上昇を防止することが可能となる。
【００６２】
また、シャッターカーテン閉鎖時においては当接検知手段がシャッターカーテンとの当接を検知しており、通電状態にならないことから、長時間シャッターカーテンを閉鎖していても電力消費によるコストがかからず、経済的であるという効果が得られる。更に、突出手段にも通電されていないため、長時間の通電による突出手段の加熱により万が一にも火災が発生することはない。
【図面の簡単な説明】
【図１】本発明によるグリルシャッターの持ち上げ防止装置が設けられるグリルシャッターの正面図
【図２】同グリルシャッターの概略側断面図
【図３】本発明によるグリルシャッターの持ち上げ防止装置の実施の形態を示す斜視図
【図４】同斜視図
【図５】（ａ）同持ち上げ防止装置の動作を示す回路図
（ｂ）同側面図
（ｃ）同側面図
【図６】（ａ）同持ち上げ防止装置の動作を示す回路図
（ｂ）同側面図
（ｃ）同側面図
【図７】（ａ）同持ち上げ防止装置の動作を示す回路図
（ｂ）同側面図
（ｃ）同側面図
【図８】（ａ）同持ち上げ防止装置の動作を示す回路図
（ｂ）同側面図
（ｃ）同側面図
【符号の説明】
１…グリルシャッター
３…シャッターカーテン
８…当接検知手段
１４…シャッター部材
１７…リンク
ＬＳ…閉鎖検知手段（下限リミットスイッチ）
１９…突出手段（突出部）
【図１】
0003972392.tif 000002
【図２】
0003972392.tif 000003
【図３】
0003972392.tif 000004
【図４】
0003972392.tif 000005
【図５】
0003972392.tif 000006
【図６】
0003972392.tif 000007
【図７】
0003972392.tif 000008
【図８】
0003972392.tif 000009